(57)【要約】【課題】印刷装置における印刷条件の変更に対応して画像入力装置に表示される情報入力項目が変更され、かつ、印刷装置において課金情報を管理したり、使用を制限したりすることができるようにする。【解決手段】画像が入力される画像入力装置と、該画像入力装置に接続され、該画像入力装置に入力される画像に対応する印刷を行う印刷装置とから成る画像印刷システムであって、前記画像入力装置は所定の情報を入力する情報入力部を有し、前記印刷装置は前記情報入力部に入力される情報に従って印刷を行う。【選択図】          図１
2004345203.tif 000002
【特許請求の範囲】
【請求項１】
（ａ）画像が入力される画像入力装置と、該画像入力装置に接続され、該画像入力装置に入力される画像に対応する印刷を行う印刷装置とから成る画像印刷システムであって、
（ｂ）前記画像入力装置は所定の情報を入力する情報入力部を有し、
（ｃ）前記印刷装置は前記情報入力部に入力される情報に従って印刷を行うことを特徴とする画像印刷システム。
【請求項２】
前記印刷装置は印刷に関する設定を行う設定部を有し、該設定部は前記情報入力部に入力される情報に基づいて設定を行い、前記印刷装置は前記設定に従って印刷を行う請求項１に記載の画像印刷システム。
【請求項３】
（ａ）前記画像入力装置は、表示部と、前記印刷装置から該印刷装置の機能情報を取得する取得部とを有し、
（ｂ）前記表示部は、前記取得部が取得した前記機能情報に対応する情報入力項目の表示を行う請求項１に記載の画像印刷システム。
【請求項４】
前記画像入力装置は、前記表示部に表示された情報入力項目に応じて前記情報入力部から入力される入力情報を、前記印刷装置に送信する請求項３に記載の画像印刷システム。
【請求項５】
（ａ）前記印刷装置は印刷に対する印刷条件を設定する印刷条件設定機能を有し、
（ｂ）前記機能情報は前記印刷装置の印刷条件設定機能に関する情報を含み、
（ｃ）前記情報入力項目は前記印刷条件設定機能に対する設定項目を含み、
（ｄ）前記画像入力装置は、前記情報入力部から入力される前記設定項目に対する設定情報を前記印刷装置に送信し、
（ｅ）該印刷装置は、受信した前記設定情報に基づいて前記印刷条件設定機能に対する設定を行う請求項４に記載の画像印刷システム。
【請求項６】
（ａ）前記印刷装置は印刷に対する課金情報を管理する課金管理機能を有し、
（ｂ）前記機能情報は前記印刷装置の課金管理機能に関する情報を含み、
（ｃ）前記情報入力項目は利用者に関する個別情報を含み、
（ｄ）前記画像入力装置は、前記情報入力部から入力される前記個別情報を前記印刷装置に送信し、
（ｅ）該印刷装置は、受信した前記個別情報に基づいて前記課金管理機能に対する管理を行う請求項４に記載の画像印刷システム。
【請求項７】
前記印刷装置は、前記情報入力部から入力される情報に応じて印刷出力するか否かの判定を行う請求項１に記載の画像印刷システム。
【請求項８】
前記画像入力装置は、前記情報入力部に入力される情報に応じて、前記印刷装置に対して画像情報を送信するか否かの判定を行う請求項１に記載の画像印刷システム。
【請求項９】
前記画像入力装置は、前記情報入力部に入力される情報を前記印刷装置に送信し、該送信に対して返信される情報に応じて、前記印刷装置に画像情報を送信するか否かの判定を行う請求項１に記載の画像印刷システム。
【請求項１０】
前記印刷装置は印刷に対する課金情報を管理する課金管理部を有し、前記情報入力部に入力される情報は利用者に関する個別情報を含み、前記課金管理部は前記個別情報に基づいて課金情報の管理を行う請求項７〜９のいずれか１項に記載の画像印刷システム。
【請求項１１】
印刷装置に接続可能な画像入力装置であって、接続される前記印刷装置の機能情報を取得する取得部を有することを特徴とする画像入力装置。
【請求項１２】
前記印刷装置から取得した機能情報に対応する情報を表示する表示部を有する請求項１１に記載の画像入力装置。
【請求項１３】
（ａ）前記印刷装置から取得した前記機能情報に対応する設定を行う設定部と、所定の情報を入力する情報入力部とを有し、
（ｂ）前記設定部は、前記情報入力部から入力される入力情報によって設定を行う請求項１１に記載の画像入力装置。
【請求項１４】
（ａ）表示部と、所定の情報を入力する情報入力部とを有し、
（ｂ）前記取得部によって取得された前記機能情報が課金管理に関する機能情報を含む場合、前記表示部は、利用者に関する個別情報を前記情報入力部から入力するように表示し、
（ｃ）入力された前記個別情報を前記印刷装置に送信する請求項１１に記載の画像入力装置。
【請求項１５】
印刷装置に接続可能な画像入力装置であって、所定の情報を入力する情報入力部を有し、該情報入力部から入力される利用者に関する個別情報を前記印刷装置に送信することを特徴とする画像入力装置。
【請求項１６】
前記個別情報は画像情報とともに前記印刷装置に送信される請求項１５に記載の画像入力装置。
【請求項１７】
前記個別情報に基づいて前記印刷装置に画像情報を送信するか否かの判定を行う請求項１５に記載の画像入力装置。
【請求項１８】
前記個別情報は画像情報が送信される前に前記印刷装置に送信され、該印刷装置からの応答情報に応じて画像情報を送信するか否かの判定を行う請求項１５に記載の画像入力装置。
【請求項１９】
画像入力装置に接続可能な印刷装置であって、接続される前記画像入力装置からの依頼に応じて、印刷装置の機能情報を前記画像入力装置に送信することを特徴とする印刷装置。
【請求項２０】
印刷機能に関する設定部を有し、該設定部は接続される前記画像入力装置からの設定情報に従って設定を行う請求項１９に記載の印刷装置。
【請求項２１】
（ａ）印刷に対する課金情報を管理する課金管理機能を有し、
（ｂ）前記画像入力装置に送信する前記機能情報は前記課金管理機能を含み、
（ｃ）前記画像入力装置から受信する利用者に関する個別情報に従って動作する請求項１９に記載の印刷装置。
【請求項２２】
画像入力装置に接続可能な印刷装置であって、接続される前記画像入力装置から受信する利用者に関する個別情報に従って動作することを特徴とする印刷装置。
【請求項２３】
接続される前記画像入力装置から受信する前記個別情報を記憶する記憶部を有する請求項２２に記載の印刷装置。
【請求項２４】
（ａ）接続される前記画像入力装置から受信する個別情報と、前記記憶部に記憶された個別情報とを比較する比較部を有し、
（ｂ）該比較部による比較結果を前記画像入力装置に送信する請求項２２に記載の印刷装置。
【請求項２５】
前記個別情報に応じて、前記画像入力装置から受信する画像情報の印刷を行うか否かの判定を行う請求項２１又は２２に記載の印刷装置。
【請求項２６】
前記画像入力装置から受信する画像情報の印刷量と前記個別情報とに基づいて課金情報の管理を行う請求項２１又は２２に記載の印刷装置。
【発明の詳細な説明】
【０００１】
【発明の属する技術分野】
本発明は、画像印刷システム、画像入力装置及び印刷装置に関するものである。
【０００２】
【従来の技術】
従来、スキャナとプリンタとを接続して、コピー装置として機能させる簡易なコピーシステムが提案されている（例えば、特許文献１参照。）。この場合、スキャナで読み取った画像をプリンタに送信し、該プリンタにおいて印刷することによって、前記画像を複写することができる。
【０００３】
前記従来のコピーシステムにおいて、スキャナの設定メニュー、操作メニュー等は、あらかじめ決められたプリンタの設定メニューに合致するように構成されている。そして、プリンタの設定情報等の仕様が変更されたりした場合、変更されたプリンタの仕様に合わせて、新たにスキャナのファームウェア等を変更するようになっている。
【０００４】
また、大型のコピー装置においては、コピーカードを使用してコピーの料金を管理したり、使用を制限したりする手段を有するものがある。さらに、プリンタには、印刷料金を管理したり、使用を制限したりするための課金機能や使用制限機能が搭載されているものもある。
【０００５】
【特許文献１】
特開平９−３７０１４号公報
【０００６】
【発明が解決しようとする課題】
しかしながら、前記従来のシステムにおいては、プリンタの設定情報等の仕様が変わると、スキャナの設定メニューや操作メニューの構成等を変える必要があるため、プリンタの設定状況毎にスキャナのファームウェアを変えない限りは、種々のプリンタに対応することができない。
【０００７】
また、大型のコピー装置と同様に、コピーカードを使用してコピーの料金を管理したり、使用を制限したりしようとすると、コピーカードの読み取り機を新たに装着する必要があるので、コストが高くなってしまう。
【０００８】
さらに、プリンタに搭載されている課金機能は、パーソナルコンピュータやサーバから受信した印刷ジョブに関して機能するものであり、スキャナとプリンタとを接続した簡易なコピーシステムに適用される課金システムは存在しなかった。
【０００９】
本発明は、前記従来のシステムの問題点を解決して、印刷装置における印刷条件の変更に対応して画像入力装置に表示される情報入力項目が変更され、かつ、印刷装置において課金情報を管理したり、使用を制限したりすることができる画像印刷システム、画像入力装置及び印刷装置を提供することを目的とする。
【００１０】
【課題を解決するための手段】
そのために、本発明の画像印刷システムにおいては、画像が入力される画像入力装置と、該画像入力装置に接続され、該画像入力装置に入力される画像に対応する印刷を行う印刷装置とから成る画像印刷システムであって、前記画像入力装置は所定の情報を入力する情報入力部を有し、前記印刷装置は前記情報入力部に入力される情報に従って印刷を行う。
【００１１】
【発明の実施の形態】
以下、本発明の実施の形態について図面を参照しながら詳細に説明する。
【００１２】
図１は本発明の第１の実施の形態における画像印刷システムの構成の概略を示す図である。
【００１３】
図において、１０は画像入力装置としてのスキャナ、３０は印刷装置としてのプリンタ、２０は前記スキャナ１０とプリンタ３０とを通信可能に接続するケーブルである。ここで、前記スキャナ１０は、ＣＣＤ（Ｃｈａｒｇｅ  Ｃｏｕｐｌｅｄ  Ｄｅｖｉｃｅ：電荷結合素子）、撮像管等の撮像素子、レンズ、画像が印刷された紙等の媒体、写真等の原稿を照らすランプ等を備え、原稿の画像を走査しながら読み取る装置である。そして、前記スキャナ１０は、例えば、フラットベッドスキャナ、シートフィードスキャナ、ハンディスキャナ、ドラムスキャナ等であるが、いかなる種類のスキャナであってもよい。また、前記スキャナ１０は、カラー原稿の読み取りが可能なカラースキャナであることが望ましいが、モノクロスキャナであってもよい。さらに、前記スキャナ１０は、ＣＰＵ、ＭＰＵ等の演算手段、半導体メモリ等の記憶手段、液晶ディスプレイ、ＬＥＤ（Ｌｉｇｈｔ  Ｅｍｉｔｔｉｎｇ  Ｄｉｏｄｅ）ディスプレイ等の表示手段、キーボード、押しボタン、タッチパネル等の入力手段、通信インターフェイス等を備える。
【００１４】
また、前記プリンタ３０は、モノクロ画像を形成するものであっても、カラー画像を形成するものであってもよい。さらに、前記プリンタ３０の画像形成方式も、電子写真方式に限らず、いかなるものであってもよく、例えば、インクジェット方式であってもよいし、ワイヤドット方式であってもよいし、インクリボン方式であってもよいし、熱転写方式であってもよい。なお、前記プリンタ３０は、ＣＰＵ、ＭＰＵ等の演算手段、半導体メモリ等の記憶手段、液晶ディスプレイ、ＬＥＤディスプレイ等の表示手段、キーボード、押しボタン、タッチパネル等の入力手段、通信インターフェイス等を備える。
【００１５】
さらに、前記ケーブル２０は、ＩＥＥＥ１２８４インターフェイス用のセントロニクスケーブルであってもよいし、ＵＳＢ（Ｕｎｉｖｅｒｓａｌ  Ｓｅｒｉａｌ  Ｂｕｓ）インターフェイス用のＵＳＢケーブルであってもよいし、ＩＥＥＥ１３９４インターフェイス用のケーブルであってもよいし、ＬＡＮ（ＬｏｃａｌＡｒｅａ  Ｎｅｔｗｏｒｋ）インターフェイス用の１０／１００ＢａｓｅＴケーブルであってもよい。
【００１６】
そして、本実施の形態の画像印刷システムにおいては、前記スキャナ１０が原稿を読み取ると、該原稿の画像データが前記ケーブル２０を介してプリンタ３０に送信され、該プリンタ３０が前記原稿の画像を紙等の媒体に印刷するようになっている。
【００１７】
次に、前記スキャナ１０の構成について説明する。
【００１８】
図２は本発明の第１の実施の形態におけるスキャナの構成を示すブロック図である。
【００１９】
図２に示されるように、スキャナ１０は、原稿を読み取るための読取部１１、読み取った画像データの画像処理を行うための画像処理部１２、コピーのモード指定やコピーの操作を行うためのオペレーションパネル１３、プリンタ３０から受信したコマンドを解析するためのコマンド解析部１４、プリンタ３０に送信するコマンドを生成するためのコマンド生成部１５、プリンタ３０の装着状況に基づいてコピーの操作メニューを表示するためのオペレーションパネル制御部１６、スキャナ１０とプリンタ３０とが双方向にコマンドの送受信を行うためのプロトコルを実装し、プリンタ３０とのデータ送受信の制御を行うための外部インターフェイス制御部１７、及び、プリンタ３０から得たプリンタ情報を格納するためのプリンタ情報格納部１８を有する。ここで、前記オペレーションパネル１３は、情報入力部及び表示部として機能し、コマンド解析部１４は取得部として機能する。
【００２０】
なお、前記外部インターフェイス制御部１７は、例えば、ＩＥＥＥ１２８４インターフェイス、ＵＳＢインターフェイス、ＩＥＥＥ１３９４インターフェイス、ＬＡＮインターフェイス等に対応するものであるが、いかなるインターフェイスに対応するものであってもよく、複数のインターフェイスに対応するものであってもよい。また、前記プリンタ情報格納部１８はプリンタ情報テーブル１８ａを有する。
【００２１】
次に、該プリンタ情報テーブル１８ａの構成について説明する。
【００２２】
図３は本発明の第１の実施の形態におけるプリンタ情報テーブルの構成を示すブロック図である。
【００２３】
図３に示されるように、プリンタ情報テーブル１８ａは、番号２５、プリンタオプション名２６、プリンタオプション装着状況２７、及び、スキャナ１０の操作メニューに表示するか否かの情報を格納するためのメニュー表示２８によって構成される。そして、一番目のプリンタオプションの情報として、両面印刷オプションがプリンタ３０に装着されメニューに表示することが格納され、二番目のプリンタオプションの情報として、製本オプションがプリンタ３０に装着されておらずメニューに表示しないことが格納され、三番目のプリンタオプションの情報として、ハードディスクオプションがプリンタ３０に装着されメニューに表示しないことが格納されている。
【００２４】
次に、前記プリンタ３０の構成について説明する。
【００２５】
図４は本発明の第１の実施の形態におけるプリンタの構成を示すブロック図である。
【００２６】
図４に示されるように、プリンタ３０は、印刷制御を行うための印刷部３１、印刷される画像の画像処理を行うための画像処理部３２、印刷装置としてのプリンタ３０の設定等を行うための設定部としてのオペレーションパネル３３、スキャナ１０から受信するコマンドを解析するための取得部としてのコマンド解析部３４、スキャナ１０に送信するためのコマンドを生成するためのコマンド生成部３５、物理的なインターフェイスは特定しないが、スキャナ１０とプリンタ３０とが双方向にコマンドの送受信を行うためのプロトコルを実装し、スキャナ１０とのデータ送受信の制御を行うための外部インターフェイス制御部３６、及び、プリンタオプションの装着状況を収集するためのオプション情報収集部３７を有する。
【００２７】
次に、前記構成の画像印刷システムの動作について説明する。
【００２８】
図５は本発明の第１の実施の形態におけるプリンタの装置情報を取得する動作を示すフローチャート、図６は本発明の第１の実施の形態におけるプリンタの印刷環境を設定する動作を示すフローチャート、図７は本発明の第１の実施の形態におけるスキャナの表示動作を示すフローチャートである。
【００２９】
まず、スキャナ１０の外部インターフェイス制御部１７は、プリンタ３０と接続したことを認識すると、コマンド生成部１５と連携してプリンタ３０に対して装置情報取得依頼コマンドを送信する。
【００３０】
そして、プリンタ３０の外部インターフェイス制御部３６がコマンドを受信すると、コマンド解析部３４は、受信したコマンドを解析する。そして、装置情報取得依頼コマンドであることを認識すると、オプション情報収集部３７がプリンタオプションの装着状況を収集し、コマンド生成部３５は、前記装着状況に基づいて、図３に示されるようなプリンタ情報テーブル１８ａの情報を含んだ装置情報コマンドを作成し、スキャナ１０に送信する。
【００３１】
次に、スキャナ１０がプリンタ情報テーブル１８ａの情報を含んだ装置情報コマンドを受信すると、オペレーションパネル制御部１６は、スキャナ１０の操作メニューを作成する。この場合、前記オペレーションパネル制御部１６は、まず、プリンタ情報テーブル１８ａの中のメニュー表示２８を参照し、どの項目をメニューに表示するべきかを認識する。次に、オペレーションパネル制御部１６は、表示すべき内容毎に装着状況２７を参照し、操作メニューに表示するか否かを決定し、オペレーションパネル１３に設定メニューを表示する。
【００３２】
この場合、例えば、図３に示されるように、「番号２５が１、プリンタオプション名２６が両面印刷オプション、装着状況２７がオン、メニュー表示２８がする」に設定されているプリンタ情報テーブル１８ａと、「番号２５が２、プリンタオプション名２６が製本オプション、装着状況２７がオフ、メニュー表示２８がしない」に設定されているプリンタ情報テーブル１８ａと、「番号２５が３、プリンタオプション名２６がハードディスクオプション、装着状況２７がオン、メニュー表示２８がしない」に設定されているプリンタ情報テーブル１８ａとをプリンタ３０から受信すると、オペレーションパネル１３が、図７に示されるような表示遷移を行うように設定されている。
【００３３】
そして、図７に示されるように、プリンタ情報テーブル１８ａの情報によると、一番目の両面印刷オプションは装着されていて、メニュー表示をする設定になっているので、スキャナ１０のメニューに表示させ、機能させるか否かをその中でオン・オフによって設定することができるようにする。また、二番目の製本オプションは装着されていないので、スキャナ１０の設定メニューには表示しない。さらに、三番目のハードディスクオプションは、装着されているがメニュー表示しない設定になっているので、スキャナ１０には表示しない。
【００３４】
続いて、スキャナ１０のオペレーションパネル１３がオペレータによって操作され、コピーの起動がかけられると、読取部１１が原稿を読み取る。そして、設定メニューによって設定された内容に従って、スキャナ１０のコマンド生成部１５がコマンドを生成し、外部インターフェイス制御部１７が前記コマンドを、画像処理部１２が画像処理を行った画像データとともに、プリンタ３０に送信する。
【００３５】
ここで、本実施の形態においては、三番目のハードディスクオプションは装着されているがメニュー表示をしない設定になっている。しかし、ハードディスクオプションが装着されている場合は、該ハードディスクオプションを有効にするコマンドを前述された方法と同様に作成してプリンタ３０に送信する。
【００３６】
次に、プリンタ３０の外部インターフェイス制御部３６は、印刷環境を設定するための前記コマンドと画像データとをスキャナ１０から受信する。そして、コマンド解析部３４が前記コマンドを解析し、画像処理部３２が画像処理を施し、印刷部３１が印刷を行う。このように、本実施の形態における画像印刷システムは、一連のスキャナ１０とプリンタ３０との協調作業によって簡易なコピーシステムとしての機能を実現する。
【００３７】
次に、図５に示されるフローチャートについて説明する。
ステップＳ１  スキャナ１０はプリンタ３０に装置着情報取得依頼を送信する。
ステップＳ２  プリンタ３０はスキャナ１０に装置情報を送信する。
【００３８】
次に、図６に示されるフローチャートについて説明する。
ステップＳ１１  スキャナ１０はプリンタ３０に印刷環境設定を送信する。
ステップＳ１２  スキャナ１０はプリンタ３０に画像データを送信する。
【００３９】
次に、図７に示されるフローチャートについて説明する。
ステップＳ２１  両面印刷オプションがオンであるか否かを判断する。両面印刷オプションがオンである場合はステップＳ２３に進み、製本オプションの装着状況がオフであり、メニュー表示しないとなっている場合はステップＳ２５に進み、両面印刷オプションがオフである場合はステップＳ２２に進む。
ステップＳ２２  両面印刷オプションがオフであるか否かを判断する。両面印刷オプションがオフである場合はステップＳ２３に進み、製本オプションの装着状況がオフであり、メニュー表示しないとなっている場合はステップＳ２５に進み、両面印刷オプションがオンである場合はステップＳ２１に戻る。
ステップＳ２３  製本オプションがオンであるか否かを判断する。製本オプションがオンである場合はステップＳ２５に進み、製本オプションがオフである場合はステップＳ２４に進む。
ステップＳ２４  製本オプションがオフであるか否かを判断する。製本オプションがオフである場合はステップＳ２５に進み、製本オプションがオンである場合はステップＳ２３に戻る。
ステップＳ２５  メディアタイプがＯＨＰであるか否かを判断する。メディアタイプがＯＨＰである場合はステップＳ２７に進み、メディアタイプがＯＨＰでない場合はステップＳ２６に進む。
ステップＳ２６  各種メディアタイプがトグルで表示される。
ステップＳ２７  ＭＰトレイ指定がオンであるか否かを判断する。ＭＰトレイ指定がオンである場合は処理を終了し、ＭＰトレイ指定がオフである場合はステップＳ２８に進む。
ステップＳ２８  ＭＰトレイ指定がオフであるか否かを判断する。ＭＰトレイ指定がオフである場合は処理を終了し、ＭＰトレイ指定がオンである場合はステップＳ２７に戻る。
【００４０】
このように、本実施の形態において、スキャナ１０及びプリンタ３０は、それぞれ、双方向にコマンドの送受信を行うためのプロトコルを実装してデータ送受信の制御を行うための外部インターフェイス制御部１７及び外部インターフェイス制御部３６を有する。そして、スキャナ１０からプリンタ３０に装置情報を問い合わせ、該装置情報に基づいてスキャナ１０の設定メニューを作成するようになっている。
【００４１】
そのため、プリンタ３０のオプションの装着状況が変わった場合でも、スキャナ１０のファームウェアを交換することなく、対応することができる。すなわち、プリンタ３０のオプションを追加した場合、スキャナ１０からの設定でそのオプションを使用することができる。また、プリンタ３０のオプションを削除した場合、無駄なオプション指定コマンドを毎回送信することがない。これにより、簡易なコピーシステムとしての画像印刷システムの使い勝手を向上させることができる。
【００４２】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００４３】
図８は本発明の第２の実施の形態におけるプリンタ情報テーブルの構成を示すブロック図である。
【００４４】
本実施の形態におけるスキャナ１０の構成については、前記第１の実施の形態におけるスキャナ１０の構成と同様であるので、説明を省略する。そして、本実施の形態におけるスキャナ１０のプリンタ情報テーブル１８ａの構成について説明する。
【００４５】
この場合、図８に示されるように、プリンタ情報テーブル１８ａには、四番目のプリンタオプションの情報として、課金オプションがプリンタ３０に装着されメニューに表示しないことが格納されている。
【００４６】
次に、本実施の形態におけるプリンタ３０の構成について説明する。
【００４７】
図９は本発明の第２の実施の形態におけるプリンタの構成を示すブロック図である。
【００４８】
この場合、図９に示されるように、スキャナ１０から送られる課金コマンドのデータ内容に従って簡易なコピーシステムとして課金したり、使用制限したりするための課金管理機能としてのプリンタ課金制御部４８が追加されている。なお、該プリンタ課金制御部４８は、プリンタ３０が図示されないネットワークに接続され、該ネットワークを介してパーソナルコンピュータ、サーバ等のコンピュータ端末から印刷データを受信した場合の課金や使用制限に対しても使用することができる。また、前記プリンタ課金制御部４８は、プリンタ３０の設定においてスキャナ１０やコンピュータ端末から受信した画像データの印刷を禁止することが設定された場合、前記スキャナ１０やコンピュータ端末から受信した画像データの印刷を行わないようにする。
【００４９】
次に、前記課金コマンドの構成について説明する。
【００５０】
図１０は本発明の第２の実施の形態における課金コマンドのデータ構成を示す図、図１１は本発明の第２の実施の形態における固定値の場合の課金コマンドの構成を示す図である。
【００５１】
図１０に示されるように、課金コマンドは、課金用ＩＤエリア４１、ユーザＩＤエリア４２及びジョブ名エリア４３を有する。そして、図８に示されるように、スキャナ１０のプリンタ情報テーブル１８ａにおいて、課金オプションがオンに設定され、メニュー表示がしないに設定されている場合、前記課金用ＩＤエリア４１、ユーザＩＤエリア４２及びジョブ名エリア４３は、いずれもスキャナ１０として固定されたデータを含んだ状態で、プリンタ３０に送信されるようになっている。
【００５２】
また、課金オプションがオンに設定され、メニュー表示がするに設定されている場合は、ユーザＩＤエリア４２だけをスキャナ１０のオペレーションパネル１３を操作して入力させるようにメニューを構成し、そこで入力されたデータがプリンタ３０に送信されるようになっている。
【００５３】
なお、前記課金用ＩＤエリア４１、ユーザＩＤエリア４２及びジョブ名エリア４３の固定データは、図１１に示されるように、それぞれ、スキャナ名、スキャナ名及びスキャナジョブ名である。
【００５４】
次に、本実施の形態における画像印刷システムの動作について説明する。
【００５５】
まず、前記第１の実施の形態と同様に、スキャナ１０はプリンタ３０から課金オプションの装着状況が格納されたプリンタ情報テーブル１８ａを取得し、プリンタ情報格納部１８に格納する。
【００５６】
そして、プリンタ情報テーブル１８ａの課金オプションがオンに設定され、メニュー表示がしないに設定されている場合、スキャナ１０のオペレーションパネル１３がオペレータによって操作され、コピーの起動がかけられると、前記第１の実施の形態と同様に、読取部１１が原稿を読み取る。そして、画像処理部１２が画像処理を行い、スキャナ１０のコマンド生成部１５が、設定メニューによって設定された内容に従ってコマンドを生成する。続いて、図１１に示されるような固定データを有する課金コマンドを生成し、プリンタ３０に送信する。続いて、該プリンタ３０は、スキャナ１０から受信した印刷を禁止するか否かの設定に従い、禁止する場合は印刷を行わず、禁止しない場合は、コピーの印刷として課金する（例えば、印刷枚数をカウントする。）。なお、課金情報（例えば、カウントされた印刷枚数）はプリンタ３０のプリンタ課金制御部４８に保存される。この際、前記課金情報は、課金用ＩＤとしてのスキャナ名と関連付けて保存される。
【００５７】
また、プリンタ情報テーブル１８ａの課金オプションがオンに設定され、メニュー表示がするに設定されている場合、個別情報としてのユーザＩＤの入力を指示するメニューがスキャナ１０のオペレーションパネル１３に表示される。そして、オペレータがオペレーションパネル１３を操作してユーザＩＤを入力すると、入力された該ユーザＩＤは課金コマンドの中に記述されてプリンタ３０に送信される。該プリンタ３０は、受信した課金コマンドの中に記述されたユーザＩＤがあらかじめ登録されているユーザＩＤと一致する場合には課金し、また、あらかじめ登録されているユーザＩＤと一致しない場合には印刷を行わない。なお、課金の場合には、印刷枚数をカウントし、該印刷枚数が課金情報として保存される。この際、該課金情報は、課金用ＩＤとしてのスキャナ名と関連付けて保存される。
【００５８】
このように、本実施の形態においては、プリンタ３０における課金オプションの装着状況に基づいて、スキャナ１０がユーザＩＤを入力させるか否かを決定する。そして、前記スキャナ１０が課金コマンドをプリンタ３０に送信すると、該プリンタ３０は受信した課金コマンドに従い、課金したり使用制限を行うようになっている。これにより、簡易なコピーシステムとしての画像印刷システムにおいて、低いコストで、コピーカードを使用せずに、コピーの料金を管理したり使用制限を行うようにしたりすることができる。
【００５９】
次に、本発明の第３の実施の形態について説明する。なお、第１及び第２の実施の形態と同じ構造を有するものについては、同じ符号を付与することによってその説明を省略する。また、前記第１及び第２の実施の形態と同じ動作及び同じ効果についても、その説明を省略する。
【００６０】
まず、本実施の形態におけるスキャナ１０の構成について説明する。
【００６１】
図１２は本発明の第３の実施の形態におけるスキャナの構成を示すブロック図である。
【００６２】
図１２に示されるように、スキャナ１０のオペレーションパネル１３は課金用ＩＤ設定登録エリア１３ａ（オン／オフ設定）を備える。また、本実施の形態において、前記スキャナ１０は、前記第１の実施の形態において、図２に示されるコマンド解析部１４及びプリンタ情報格納部１８を有していない。
【００６３】
次に、本実施の形態におけるプリンタ３０の構成について説明する。
【００６４】
図１３は本発明の第３の実施の形態におけるプリンタの構成を示すブロック図である。
【００６５】
図１３に示されるように、プリンタ３０は、該プリンタ３０の使用許可／不許可の制御、及び、課金制御を行うための課金・使用許可／不許可制御部６５を有する。また、本実施の形態において、前記プリンタ３０は、前記第１の実施の形態において、図４に示されるコマンド生成部３５及びオプション情報収集部３７を有していない。
【００６６】
そして、前記課金・使用許可／不許可制御部６５は、印刷枚数をカウントし、使用した料金を算出する課金制御を行う課金管理機能としての課金制御部６５ａ、使用者の使用制限や課金のためのアカウントを登録するためのＩＤ登録部６５ｂ、スキャナ１０から送信されてきた課金用ＩＤをＩＤ登録部６５ｂのデータと一致しているか否かの照合を行うためのＩＤ照合部６５ｃ、及び、印刷した枚数を課金情報として保持するための課金カウンタ６５ｄを有する。
【００６７】
また、本実施の形態における課金コマンドのデータ構成は、前記第２の実施の形態において説明したものと同様であり、図１０に示されるように、課金コマンドは、課金用ＩＤエリア４１、ユーザＩＤエリア４２及びジョブ名エリア４３を有する。なお、前記スキャナ１０のオペレーションパネル１３における課金用ＩＤ設定登録エリア１３ａがオフに設定されている場合、図１１に示されるように、前記課金用ＩＤエリア４１、ユーザＩＤエリア４２及びジョブ名エリア４３として、それぞれ、スキャナ名、スキャナ名及びスキャナジョブ名が設定されている。
【００６８】
なお、事前に前記スキャナ１０のオペレーションパネル１３を操作することによって、課金用ＩＤ設定登録エリア１３ａにおいて、課金や使用制限を行うときはオンの設定が登録され、課金や使用制限を行わないときはオフの設定が登録されている。
【００６９】
そして、課金の設定がオフである場合、前記課金用ＩＤエリア４１、ユーザＩＤエリア４２及びジョブ名エリア４３は、いずれも固定データをプリンタ３０に送信するようになっている。また、課金の設定がオンである場合、前記課金用ＩＤエリア４１だけをスキャナ１０のオペレーションパネル１３を操作して入力させるようにメニューを構成し、入力されたデータをコマンド生成部１５が課金用ＩＤエリア４１に格納し、プリンタ３０に送信するようになっている。
【００７０】
前記プリンタ３０の課金・使用許可／不許可制御部６５は、前記プリンタ３０が図示されないネットワークに接続され、該ネットワークを介してパーソナルコンピュータ、サーバ等のコンピュータ端末から印刷データを受信した場合の課金や使用制限に対しても使用することができる。また、前記課金・使用許可／不許可制御部６５は、プリンタ３０の設定においてスキャナ１０やコンピュータ端末から受信した画像データの印刷を禁止することが設定された場合、前記スキャナ１０やコンピュータ端末から受信した画像データの印刷を行わないようにする。
【００７１】
次に、前記構成の画像印刷システムの動作について説明する。
【００７２】
まず、スキャナ１０の動作について説明する。
【００７３】
図１４は本発明の第３の実施の形態におけるスキャナの動作を示すフローチャートである。
【００７４】
まず、スキャナ１０の課金用ＩＤ設定登録エリア１３ａがオフである場合、スキャナ１０のオペレーションパネル１３がオペレータによって操作され、コピーの起動がかけられると、前記第１の実施の形態と同様に、読取部１１が原稿を読み取る。そして、画像処理部１２が画像処理を行い、スキャナ１０のコマンド生成部１５が、設定メニューによって設定された内容に従ってコマンドを生成する。続いて、前記コマンド生成部１５が、図１１に示されるような固定されたデータ構成の課金コマンドを生成し、プリンタ３０に送信する。
【００７５】
続いて、プリンタ３０はスキャナ１０から受信した印刷を禁止するか否かの設定に従い、禁止する場合は印刷を行わず、禁止しない場合は、コピーの印刷として課金する（例えば、印刷枚数をカウントする。）。なお、課金情報（例えば、カウントされた印刷枚数）はプリンタ３０の課金・使用許可／不許可制御部６５に保存される。この際、前記課金情報は、課金用ＩＤと関連付けて課金カウンタ６５ｄに保存される。
【００７６】
また、スキャナ１０の課金用ＩＤ設定登録エリア１３ａがオンである場合、課金用ＩＤの入力を指示するメニューがスキャナ１０のオペレーションパネル１３に表示される。そして、オペレータがオペレーションパネル１３を操作して課金用ＩＤを入力すると、入力された課金用ＩＤは、課金コマンドの中に記述されて、プリンタ３０に送信される。
次に、フローチャートについて説明する。
ステップＳ３１  課金用ＩＤ設定登録エリア１３ａがオンであるか否かを判断する。課金用ＩＤ設定登録エリア１３ａがオンである場合はステップＳ３３に進み、課金用ＩＤ設定登録エリア１３ａがオフである場合はステップＳ３２に進む。ステップＳ３２  固定の課金用ＩＤ等をプリンタ３０に送信する。
ステップＳ３３  スキャナ１０のオペレーションパネル１３に課金用ＩＤを入力させるメニューを表示する。
ステップＳ３４  課金用ＩＤが入力されるのを待機し、該課金用ＩＤが入力された場合はステップＳ３５に進む。
ステップＳ３５  入力された課金用ＩＤを課金コマンドの中に記述する。
ステップＳ３６  印刷データとともにプリンタ３０に課金コマンドを送信し、処理を終了する。
【００７７】
次に、プリンタ３０の動作について説明する。
【００７８】
図１５は本発明の第３の実施の形態におけるプリンタの動作を示すフローチャートである。
【００７９】
まず、プリンタ３０の課金・使用許可／不許可制御部６５におけるＩＤ照合部６５ｃは、受信した課金用ＩＤの照合を行う。そして、受信した該課金用ＩＤがあらかじめＩＤ登録部６５ｂに登録されている課金用ＩＤと一致する場合、プリンタ３０は印刷を行うとともに課金も行う。なお、前記ＩＤ登録部６５ｂに登録されている課金用ＩＤは、プリンタ３０が図示されないネットワークに接続され、該ネットワークを介してパーソナルコンピュータ、サーバ等のコンピュータ端末から送信されて登録されたものであってもよいし、スキャナ１０において課金用ＩＤを登録する際に、前記スキャナ１０から送信されて登録されたものであってもよい。
【００８０】
また、受信した課金用ＩＤがあらかじめＩＤ登録部６５ｂに登録されている課金用ＩＤと一致しない場合、プリンタ３０は印刷を行わない。なお、課金の場合には、印刷枚数をカウントし、該印刷枚数が課金情報として保存される。この際、該課金情報は、受信した課金用ＩＤと関連付けて、課金カウンタ６５ｄに保存される。
【００８１】
次に、フローチャートについて説明する。
ステップＳ４１  ＩＤ照合部６５ｃにおいてスキャナ１０から送信された課金用ＩＤの照合を行う。
ステップＳ４２  ＩＤ登録部６５ｂに登録されている課金用ＩＤであるか否かを判断する。ＩＤ登録部６５ｂに登録されている課金用ＩＤである場合はステップＳ４４に進み、ＩＤ登録部６５ｂに登録されている課金用ＩＤでない場合はステップＳ４３に進む。
ステップＳ４３  印刷を行わずに、処理を終了する。
ステップＳ４４  印刷を行うとともに課金管理を行い、処理を終了する。
【００８２】
このように、本実施の形態においては、スキャナ１０のオペレーションパネル１３に課金用ＩＤを入力させるメニューを表示し、入力された課金用ＩＤを記述した課金コマンドをスキャナ１０からプリンタ３０に送信する。そして、該プリンタ３０は受信した課金コマンドに従い、課金したり使用制限を行うようになっている。これにより、簡易なコピーシステムとしての画像印刷システムにおいて、低いコストで、コピーカードを使用せずに、コピーの料金を管理したり使用制限を行うようにしたりすることができる。
【００８３】
また、スキャナ１０が原稿を読み取り、画像データをプリンタ３０に送信した後に、印刷を行うか否かをプリンタ３０が判断するようになっている。そのため、スキャナ１０において課金用ＩＤの管理を行う必要がない。これにより、本実施の形態の画像印刷システムにおいては、スキャナ１０に使用制限を行うための手段を取り付けることなく、コピーシステムとして使用制限を行うことができる。
【００８４】
次に、本発明の第４の実施の形態について説明する。なお、第１〜第３の実施の形態と同じ構造を有するものについては、同じ符号を付与することによってその説明を省略する。また、前記第１〜第３の実施の形態と同じ動作及び同じ効果についても、その説明を省略する。
【００８５】
まず、本実施の形態におけるスキャナ１０の構成について説明する。
【００８６】
図１６は本発明の第４の実施の形態におけるスキャナの構成を示すブロック図である。
【００８７】
図１６に示されるように、オペレーションパネル制御部１６はＩＤを登録するためのＩＤ登録部１６ａを備え、スキャナ１０は前記ＩＤ登録部１６ａで登録したＩＤを管理するためのＩＤ管理テーブル７７、及び、ＩＤを照合するためのＩＤ照合部７８を有する。
【００８８】
次に、本実施の形態におけるプリンタ３０の構成について説明する。
【００８９】
図１７は本発明の第４の実施の形態におけるプリンタの構成を示すブロック図である。
【００９０】
図１７に示されるように、プリンタ３０の課金・使用許可／不許可制御部６５は、課金制御部６５ａ、前記スキャナ１０のＩＤ管理テーブル７７に登録されているＩＤと同じものを登録するためのスキャナＩＤ情報複写登録部６５ｅ、及び、課金カウンタ６５ｄを備える。また、本実施の形態において、前記課金・使用許可／不許可制御部６５は、前記第３の実施の形態におけるＩＤ登録部６５ｂ及びＩＤ照合部６５ｃを備えていない。
【００９１】
次に、前記構成の画像印刷システムの動作について説明する。
【００９２】
まず、スキャナ１０の課金用ＩＤ登録処理の動作について説明する。
【００９３】
図１８は本発明の第４の実施の形態におけるスキャナの課金用ＩＤ登録処理の動作を示すフローチャートである。
【００９４】
まず、スキャナ１０のオペレーションパネル１３に課金用ＩＤ登録メニューが表示される。続いて、スキャナ１０のオペレーションパネル制御部１６におけるＩＤ登録部１６ａが課金用ＩＤの登録操作を行い、該課金用ＩＤがＩＤ管理テーブル７７に登録される。続いて、コマンド生成部１５は、前記課金用ＩＤの情報を含んだ課金コマンドのデータパケットを生成し、該データパケットが外部インターフェイス制御部１７によってケーブル２０を介してプリンタ３０に送信される。
【００９５】
次に、フローチャートについて説明する。
ステップＳ５１  スキャナ１０のオペレーションパネル１３に課金用ＩＤ登録メニューを表示する。
ステップＳ５２  課金用ＩＤを登録するための入力がされるのを待機し、入力された場合はステップＳ５３に進む。
ステップＳ５３  ＩＤ管理テーブル７７に登録し、登録された課金用ＩＤを課金コマンドの中に記述する。
ステップＳ５４  プリンタ３０に課金コマンドを送信し、処理を終了する。
【００９６】
次に、プリンタ３０のスキャナＩＤ情報複写登録処理の動作について説明する。
【００９７】
図１９は本発明の第４の実施の形態におけるプリンタのスキャナＩＤ情報複写登録処理の動作を示すフローチャートである。
【００９８】
まず、スキャナ１０から送信された課金用ＩＤの情報を含んだデータパケットは、プリンタ３０における外部インターフェイス制御部３６の制御によりコマンド解析部３４によって受信される。続いて、該コマンド解析部３４が前記データパケットを課金用ＩＤの情報を含んだデータであると認識した後、スキャナＩＤ情報複写登録部６５ｅが課金用ＩＤを格納する。
【００９９】
次に、フローチャートについて説明する。
ステップＳ６１  プリンタ３０はデータパケットを受信する。
ステップＳ６２  データパケットに課金用ＩＤの情報が含まれているか否かを判断する。課金用ＩＤの情報が含まれている場合はステップＳ６４に進み、課金用ＩＤの情報が含まれていない場合はステップＳ６３に進む。
ステップＳ６３  スキャナＩＤ情報複写登録部６５ｅに登録を行わずに、処理を終了する。
ステップＳ６４  スキャナＩＤ情報複写登録部６５ｅに登録を行い、処理を終了する。
【０１００】
次に、スキャナ１０の動作について説明する。
【０１０１】
図２０は本発明の第４の実施の形態におけるスキャナの動作を示すフローチャートである。
【０１０２】
まず、スキャナ１０の課金用ＩＤ設定登録エリア１３ａがオフである場合、スキャナ１０のオペレーションパネル１３がオペレータによって操作され、コピーの起動がかけられると、読取部１１が原稿を読み取る。そして、画像処理部１２が画像処理を行い、スキャナ１０のコマンド生成部１５がコマンドを生成する。続いて、該コマンド生成部１５が、図１１に示されるような固定されたデータ構成の課金コマンドを生成し、プリンタ３０に送信する。
【０１０３】
続いて、プリンタ３０はスキャナ１０から受信した印刷を禁止するか否かの設定に従い、禁止する場合は印刷を行わず、禁止しない場合は、コピーの印刷として課金する（例えば、印刷枚数をカウントする。）。なお、課金情報（例えば、カウントされた印刷枚数）はプリンタ３０の課金・使用許可／不許可制御部６５に保存される。この際、前記課金情報は、課金用ＩＤと関連付けて課金カウンタ６５ｄに保存される。
【０１０４】
また、スキャナ１０の課金用ＩＤ設定登録エリア１３ａがオンである場合、課金用ＩＤの入力を指示するメニューがスキャナ１０のオペレーションパネル１３に表示される。そして、オペレータがオペレーションパネル１３を操作して課金用ＩＤを入力すると、ＩＤ照合部７８は、入力された課金用ＩＤがＩＤ管理テーブル７７に登録されているか否かを照合する。
【０１０５】
そして、登録されている課金用ＩＤと一致する場合、コマンド生成部１５は入力された課金用ＩＤの情報を記述した、図１０に示されるような課金コマンドのデータパケットを生成する。そして、外部インターフェイス制御部１７の制御によってプリンタ３０にデータパケットを送信することによってコピーを開始する。
【０１０６】
また、入力された課金用ＩＤがＩＤ管理テーブル７７に登録されている課金用ＩＤと一致しない場合、コピー動作は開始されず、オペレーションパネル１３に、入力された課金用ＩＤが登録されていないので使用することができない旨が表示される。
【０１０７】
続いて、印刷データとともに課金コマンドをプリンタ３０に送信する。
【０１０８】
次に、フローチャートについて説明する。
ステップＳ７１  課金用ＩＤ設定登録エリア１３ａがオンであるか否かを判断する。課金用ＩＤ設定登録エリア１３ａがオンである場合はステップＳ７３に進み、課金用ＩＤ設定登録エリア１３ａがオフである場合はステップＳ７２に進む。
ステップＳ７２  固定の課金用ＩＤ等をプリンタ３０に送信する。
ステップＳ７３  スキャナ１０のオペレーションパネル１３に課金用ＩＤを入力させるメニューを表示する。
ステップＳ７４  課金用ＩＤが入力されるのを待機し、課金用ＩＤが入力された場合はステップＳ７５に進む。
ステップＳ７５  入力された課金用ＩＤがＩＤ管理テーブル７７に登録されているか否かを判断する。入力された課金用ＩＤがＩＤ管理テーブル７７に登録されている場合はステップＳ７７に進み、入力された課金用ＩＤがＩＤ管理テーブル７７に登録されていない場合はステップＳ７６に進む。
ステップＳ７６  課金用ＩＤが登録されていない旨の表示を行い、処理を終了する。
ステップＳ７７  入力された課金用ＩＤの情報が記述された課金コマンドを作成する。
ステップＳ７８  印刷データとともにプリンタ３０に課金コマンドを送信し、処理を終了する。
【０１０９】
次に、プリンタ３０の動作について説明する。
【０１１０】
図２１は本発明の第４の実施の形態におけるプリンタの動作を示すフローチャートである。
【０１１１】
この場合、プリンタ３０は、課金用ＩＤの照合を行わずに印刷を行い、スキャナ１０から受信した課金用ＩＤ及びスキャナＩＤ情報複写登録部６５ｅに格納されているデータに基づいて課金管理を行う。
【０１１２】
次に、フローチャートについて説明する。
ステップＳ８１  プリンタ３０は課金用ＩＤの照合は行わずに印刷を行う。
ステップＳ８２  スキャナ１０から送信された課金用ＩＤ及びスキャナＩＤ情報複写登録部６５ｅに格納されているデータに基づいて課金管理を行い、処理を終了する。
【０１１３】
このように、本実施の形態においては、低いコストで、コピーカードを使用せずに、コピーの料金を管理したり使用制限を行うようにしたりすることができる。
【０１１４】
ところで、前記第３の実施の形態においては、入力された課金用ＩＤの照合をスキャナ１０で行わないために、オペレータは印刷が許されるか否かを即座に判断することができない。例えば、印刷が許されない場合、オペレータは、プリンタ３０の状態（例えば、表示部に警告等を行う。）を確認して、印刷が許されないことを知るようになっている。
【０１１５】
これに対し、本実施の形態においては、スキャナ１０において原稿の読み取りが開始される前に、入力された課金用ＩＤと登録されている課金用ＩＤとを照合するようになっている。そのため、オペレータは印刷が許されるか否かを即座に判断することができ、オペレータの使い勝手を向上させることができる。
【０１１６】
次に、本発明の第５の実施の形態について説明する。なお、第１〜第４の実施の形態と同じ構造を有するものについては、同じ符号を付与することによってその説明を省略する。また、前記第１〜第４の実施の形態と同じ動作及び同じ効果についても、その説明を省略する。
【０１１７】
まず、本実施の形態におけるスキャナ１０の構成について説明する。
【０１１８】
図２２は本発明の第５の実施の形態におけるスキャナの構成を示すブロック図である。
【０１１９】
図２２に示されるように、本実施の形態において、スキャナ１０は、前記第４の実施の形態において、図１６に示されるＩＤ照合部７８、ＩＤ管理テーブル７７及びＩＤ登録部１６ａを有していない。
【０１２０】
次に、本実施の形態におけるプリンタ３０の構成について説明する。
【０１２１】
図２３は本発明の第５の実施の形態におけるプリンタの構成を示すブロック図である。
【０１２２】
図２３に示されるように、本実施の形態において、プリンタ３０は、前記第４の実施の形態において、図１７に示されるスキャナＩＤ情報複写登録部６５ｅを有していない。
【０１２３】
次に、前記スキャナ１０からプリンタ３０に対して、該プリンタ３０のＩＤ登録部６５ｂにスキャナ１０のオペレーションパネル１３で入力された課金用ＩＤが登録されているか否かを問い合わせるための課金用ＩＤ情報問い合わせコマンドの構成について説明する。
【０１２４】
図２４は本発明の第５の実施の形態における課金用ＩＤ情報問い合わせコマンドの構成を示す図である。
【０１２５】
図２４に示されるように、課金用ＩＤ情報問い合わせコマンドは、コマンドが課金用ＩＤ情報問い合わせコマンドであることを特定するためのコマンド種別エリア９１、スキャナ１０で入力された課金用ＩＤを格納するための課金用ＩＤエリア９２、スキャナ１０で入力される任意のユーザＩＤを格納するためのユーザＩＤエリア９３、及び、スキャナ１０からの情報であるという識別に使用するためのジョブ名エリア９４を有する。
【０１２６】
次に、前記プリンタ３０からスキャナ１０に対して、前記課金用ＩＤ情報問い合わせコマンドに対する応答を返すときに使用されるＩＤ情報問い合わせ応答コマンドの構成について説明する。
【０１２７】
図２５は本発明の第５の実施の形態におけるＩＤ情報問い合わせ応答コマンドの構成を示す図である。
【０１２８】
図２５に示されるように、ＩＤ情報問い合わせ応答コマンドは、課金用ＩＤ情報問い合わせコマンドに対する応答コマンドであることを示すコマンド種別エリア１０１、課金用ＩＤエリア１０２、ユーザＩＤエリア１０３、ジョブ名エリア１０４、及び、前記スキャナ１０で入力された課金用ＩＤがプリンタ３０のＩＤ登録部６５ｂに登録されているか否かの結果を格納するための結果エリア１０５を有する。
【０１２９】
次に、前記構成の画像印刷システムの動作について説明する。
【０１３０】
なお、前記スキャナ１０の課金用ＩＤ設定登録エリア１３ａがオフである場合の動作については、前記第３及び第４の実施の形態と同様であるので説明を省略する。
【０１３１】
まず、スキャナ１０の動作について説明する。
【０１３２】
図２６は本発明の第５の実施の形態におけるスキャナの動作を示すフローチャート、図２７は本発明の第５の実施の形態における課金用ＩＤ情報問い合わせコマンドの例を示す図である。
【０１３３】
本実施の形態において、スキャナ１０の課金用ＩＤ設定登録エリア１３ａがオンである場合、課金用ＩＤの入力を指示するメニューがスキャナ１０のオペレーションパネル１３に表示される。そして、オペレータがオペレーションパネル１３を操作して課金用ＩＤを入力すると、入力された課金用ＩＤは、コマンド生成部１５によって課金用ＩＤ情報問い合わせコマンドの課金用ＩＤエリア９２に格納される。例えば、課金用ＩＤとして「１２３４」と入力されたとすると、課金用ＩＤ情報問い合わせコマンドの内容は図２７に示されるようになる。
【０１３４】
続いて、課金用ＩＤ情報問い合わせコマンドは外部インターフェイス制御部１７によってプリンタ３０に送信される。
【０１３５】
なお、前記第３の実施の形態においては、課金コマンドが印刷データとともにプリンタ３０に送信されている。これに対し、本実施の形態においては、課金用ＩＤがＩＤ登録部６５ｂに登録されているか否かを問い合わせるための課金用ＩＤ情報問い合わせコマンドを、印刷データを送信する前段階で、プリンタ３０に対して送信するようになっている。
【０１３６】
次に、フローチャートについて説明する。
ステップＳ９１  課金用ＩＤ設定登録エリア１３ａがオンであるか否かを判断する。課金用ＩＤ設定登録エリア１３ａがオンである場合はステップＳ９３に進み、課金用ＩＤ設定登録エリア１３ａがオフである場合はステップＳ９２に進む。
ステップＳ９２  固定の課金用ＩＤ等をプリンタ３０に送信する。
ステップＳ９３  スキャナ１０のオペレーションパネル１３に課金用ＩＤを入力させるメニューを表示する。
ステップＳ９４  課金用ＩＤが入力されるのを待機し、該課金用ＩＤが入力された場合はステップＳ９５に進む。
ステップＳ９５  入力された課金用ＩＤを課金用ＩＤ情報問い合わせコマンドの中に記述する。
ステップＳ９６  課金用ＩＤ情報問い合わせコマンドをプリンタ３０に送信する。
ステップＳ９７  プリンタ３０からの応答が課金用ＩＤが登録されていたという応答であるか否かを判断する。課金用ＩＤが登録されていたという応答である場合はステップＳ９９に進み、課金用ＩＤが登録されていたという応答でない場合はステップＳ９８に進む。
ステップＳ９８  課金用ＩＤが登録されていないので、コピー操作を行うことができない旨の表示を行い、処理を終了する。
ステップＳ９９  コピーのための読み取りを開始し、処理を終了する。
【０１３７】
次に、プリンタ３０の動作について説明する。
【０１３８】
図２８は本発明の第５の実施の形態におけるプリンタの動作を示すフローチャート、図２９は本発明の第５の実施の形態におけるＩＤ情報問い合わせ応答コマンドの例を示す第１の図、図３０は本発明の第５の実施の形態におけるＩＤ情報問い合わせ応答コマンドの例を示す第２の図である。
【０１３９】
まず、プリンタ３０は、外部インターフェイス制御部３６の制御によって課金用ＩＤ情報問い合わせコマンドを受信する。そして、コマンド解析部３４が課金用ＩＤ情報問い合わせコマンドであることを認識し、課金・使用許可／不許可制御部６５のＩＤ照合部６５ｃは、課金用ＩＤ情報問い合わせコマンドの中の課金用ＩＤがＩＤ登録部６５ｂに登録されている課金用ＩＤと一致するか否かの照合を行う。なお、前記ＩＤ登録部６５ｂに登録されている課金用ＩＤは、プリンタ３０が図示されないネットワークに接続され、該ネットワークを介してパーソナルコンピュータ、サーバ等のコンピュータ端末から送信されて登録されたものであってもよいし、スキャナ１０において課金用ＩＤを登録する際に、該スキャナ１０から送信されて登録されたものであってもよい。
【０１４０】
前記課金用ＩＤ情報問い合わせコマンドの中の課金用ＩＤがＩＤ登録部６５ｂに登録されている課金用ＩＤと一致する場合、コマンド生成部３５は、問い合わせがあった課金用ＩＤが登録されていることを示す結果を結果エリア１０５に格納して、図２９に示されるようなＩＤ情報問い合わせ応答コマンドを生成する。該ＩＤ情報問い合わせ応答コマンドは、外部インターフェイス制御部３６の制御によってスキャナ１０に送信される。
【０１４１】
また、前記課金用ＩＤ情報問い合わせコマンドの中の課金用ＩＤがＩＤ登録部６５ｂに登録されている課金用ＩＤと一致しない場合、コマンド生成部３５は、問い合わせがあった課金用ＩＤが登録されていないことを示す結果を結果エリア１０５に格納して、図３０に示されるようなＩＤ情報問い合わせ応答コマンドを生成する。該ＩＤ情報問い合わせ応答コマンドは、外部インターフェイス制御部３６の制御によってスキャナ１０に送信される。
【０１４２】
そして、スキャナ１０が外部インターフェイス制御部１７の制御によってプリンタ３０からＩＤ情報問い合わせ応答コマンドを受信すると、コマンド解析部１４は前記ＩＤ情報問い合わせ応答コマンドの内容を解析する。該ＩＤ情報問い合わせ応答コマンドの内容が課金用ＩＤが登録されていることを示す結果である場合、コピー操作が許可される。また、前記ＩＤ情報問い合わせ応答コマンドの内容が課金用ＩＤが登録されていないことを示す結果である場合、オペレーションパネル１３に、課金用ＩＤが登録されていないので、コピー操作を行うことができない旨が表示される。
【０１４３】
次に、フローチャートについて説明する。
ステップＳ１０１  プリンタ３０は課金用ＩＤ情報問い合わせコマンドを受信する。
ステップＳ１０２  課金用ＩＤが、ＩＤ登録部６５ｂに登録されている課金用ＩＤと一致するか否かを判断する。該課金用ＩＤがＩＤ登録部６５ｂに登録されている課金用ＩＤと一致する場合はステップＳ１０４に進み、課金用ＩＤがＩＤ登録部６５ｂに登録されている課金用ＩＤと一致しない場合はステップＳ１０３に進む。
ステップＳ１０３  課金用ＩＤが登録されていない旨の応答をスキャナ１０に送信し、処理を終了する。
ステップＳ１０４  課金用ＩＤが登録されている旨の応答をスキャナ１０に送信し、処理を終了する。
【０１４４】
このように、本実施の形態においては、スキャナ１０及びプリンタ３０が双方向にコマンドの送受信を行うためのプロトコルを実装する。そして、スキャナ１０は、入力された課金用ＩＤを課金用ＩＤ情報問い合わせコマンドとして、印刷データを送信する前にプリンタ３０に送信する。また、プリンタ３０は、受信した課金用ＩＤが登録されている課金用ＩＤと照合し、その結果をＩＤ情報問い合わせ応答コマンドとしてスキャナ１０に送信する。そのため、オペレータは、スキャナ１０を操作することによって、入力された課金用ＩＤが登録済であるか否かを簡単に把握することができる。
【０１４５】
したがって、本実施の形態の画像印刷システムにおいては、前記第３の実施の形態と同様に、低いコストで、コピーカードを使用せずに、コピーの料金を管理したり使用制限を行うようにしたりすることができ、かつ、第４の実施の形態と同様に、オペレータは印刷が許されるか否かを即座に判断することができる。
【０１４６】
なお、本発明は前記実施の形態に限定されるものではなく、本発明の趣旨に基づいて種々変形させることが可能であり、それらを本発明の範囲から排除するものではない。
【０１４７】
【発明の効果】
以上詳細に説明したように、本発明によれば、画像印刷システムにおいては、画像が入力される画像入力装置と、該画像入力装置に接続され、該画像入力装置に入力される画像に対応する印刷を行う印刷装置とから成る画像印刷システムであって、前記画像入力装置は所定の情報を入力する情報入力部を有し、前記印刷装置は前記情報入力部に入力される情報に従って印刷を行う。
【０１４８】
この場合、印刷装置における印刷条件の変更に対応して画像入力装置に表示される情報入力項目が変更され、かつ、印刷装置において課金情報を管理したり、使用を制限したりすることができる。
【図面の簡単な説明】
【図１】本発明の第１の実施の形態における画像印刷システムの構成の概略を示す図である。
【図２】本発明の第１の実施の形態におけるスキャナの構成を示すブロック図である。
【図３】本発明の第１の実施の形態におけるプリンタ情報テーブルの構成を示すブロック図である。
【図４】本発明の第１の実施の形態におけるプリンタの構成を示すブロック図である。
【図５】本発明の第１の実施の形態におけるプリンタの装置情報を取得する動作を示すフローチャートである。
【図６】本発明の第１の実施の形態におけるプリンタの印刷環境を設定する動作を示すフローチャートである。
【図７】本発明の第１の実施の形態におけるスキャナの表示動作を示すフローチャートである。
【図８】本発明の第２の実施の形態におけるプリンタ情報テーブルの構成を示すブロック図である。
【図９】本発明の第２の実施の形態におけるプリンタの構成を示すブロック図である。
【図１０】本発明の第２の実施の形態における課金コマンドのデータ構成を示す図である。
【図１１】本発明の第２の実施の形態における固定値の場合の課金コマンドの構成を示す図である。
【図１２】本発明の第３の実施の形態におけるスキャナの構成を示すブロック図である。
【図１３】本発明の第３の実施の形態におけるプリンタの構成を示すブロック図である。
【図１４】本発明の第３の実施の形態におけるスキャナの動作を示すフローチャートである。
【図１５】本発明の第３の実施の形態におけるプリンタの動作を示すフローチャートである。
【図１６】本発明の第４の実施の形態におけるスキャナの構成を示すブロック図である。
【図１７】本発明の第４の実施の形態におけるプリンタの構成を示すブロック図である。
【図１８】本発明の第４の実施の形態におけるスキャナの課金用ＩＤ登録処理の動作を示すフローチャートである。
【図１９】本発明の第４の実施の形態におけるプリンタのスキャナＩＤ情報複写登録処理の動作を示すフローチャートである。
【図２０】本発明の第４の実施の形態におけるスキャナの動作を示すフローチャートである。
【図２１】本発明の第４の実施の形態におけるプリンタの動作を示すフローチャートである。
【図２２】本発明の第５の実施の形態におけるスキャナの構成を示すブロック図である。
【図２３】本発明の第５の実施の形態におけるプリンタの構成を示すブロック図である。
【図２４】本発明の第５の実施の形態における課金用ＩＤ情報問い合わせコマンドの構成を示す図である。
【図２５】本発明の第５の実施の形態におけるＩＤ情報問い合わせ応答コマンドの構成を示す図である。
【図２６】本発明の第５の実施の形態におけるスキャナの動作を示すフローチャートである。
【図２７】本発明の第５の実施の形態における課金用ＩＤ情報問い合わせコマンドの例を示す図である。
【図２８】本発明の第５の実施の形態におけるプリンタの動作を示すフローチャートである。
【図２９】本発明の第５の実施の形態におけるＩＤ情報問い合わせ応答コマンドの例を示す第１の図である。
【図３０】本発明の第５の実施の形態におけるＩＤ情報問い合わせ応答コマンドの例を示す第２の図である。
【符号の説明】
１０    スキャナ
１３、３３    オペレーションパネル
１４、３４    コマンド解析部
３０    プリンタ
４８    プリンタ課金制御部
６５ａ    課金制御部
【図１】
2004345203.tif 000003
【図２】
2004345203.tif 000004
【図３】
2004345203.tif 000005
【図４】
2004345203.tif 000006
【図５】
2004345203.tif 000007
【図６】
2004345203.tif 000008
【図７】
2004345203.tif 000009
【図８】
2004345203.tif 000010
【図９】
2004345203.tif 000011
【図１０】
2004345203.tif 000012
【図１１】
2004345203.tif 000013
【図１２】
2004345203.tif 000014
【図１３】
2004345203.tif 000015
【図１４】
2004345203.tif 000016
【図１５】
2004345203.tif 000017
【図１６】
2004345203.tif 000018
【図１７】
2004345203.tif 000019
【図１８】
2004345203.tif 000020
【図１９】
2004345203.tif 000021
【図２０】
2004345203.tif 000022
【図２１】
2004345203.tif 000023
【図２２】
2004345203.tif 000024
【図２３】
2004345203.tif 000025
【図２４】
2004345203.tif 000026
【図２５】
2004345203.tif 000027
【図２６】
2004345203.tif 000028
【図２７】
2004345203.tif 000029
【図２８】
2004345203.tif 000030
【図２９】
2004345203.tif 000031
【図３０】
2004345203.tif 000032